(57)【特許請求の範囲】
【請求項１】
かばん本体に固定されているベース部と、中間部がリンクを介して前記ベース部に連結されているインナープレートと、前記インナープレートの両端が取り付けられているカバーと、前記インナープレートの一端に枢着されていて前記ベース部にスライド可能に保持されて、前記カバーの閉じ方向動作に応じて施錠方向に動いてかばん蓋部の鈎と係合し、前記カバーの開き方向動作に応じて開錠方向に動いてかばん蓋部の鈎から外れるスライダーと、前記ベース部と係合する係止部を有するキースライド部とを具備する錠前において、前記キースライド部は、施錠状態では前記インナープレートと係合し開錠状態では前記インナープレートとの係合から外れるタンブラーと、前記タンブラーを前記インナープレートとの係合から外す棒状のキーを挿入するための鍵孔と、前記タンブラーが前記インナープレートとの係合から外れた状態で前記キースライド部を前記キーの軸に垂直な横方向に移動して前記係止部が前記ベース部から外れるように案内する案内手段とを備えることを特徴とする錠前。
【発明の詳細な説明】
【０００１】
【発明の属する技術分野】
この発明はトランク等のかばん類に使用する錠前に関する。
【０００２】
【従来の技術と問題点】
従来の錠前は鍵孔にキーを差し込んで回動させるようになっているが、手首をひねることは困難な場合もあり、タンブラーまわりの部分の構造も複雑になるなどの欠点を免れなかった。また従来の回転鍵だと構造が知られているので、ピッキングなどの盗難に会うおそれもあった。
【０００３】
【課題を解決するための手段】
この発明は前記の欠点を解消するために、錠前のベースと係合する係止部が設けられているキースライドを有する錠前において、キーをキースライドの鍵孔から挿入して横方向に移動させることによって、キースライド内のタンブラーをスライダーに枢着されているインナープレートとの係合を外すことにより、キースライドを移動させて、キースライドの係止部と錠前のベースとの係合を外すことができるように構成されていることを特徴とする錠前を得たものである。
【０００４】
【実施例】
図１はこの発明の錠前を装着したトランクなどのかばん類３０の正面図であって、３１は蓋、３２は下方の収納部、３３はハンドル、５０は錠前であって、ハンドル３３の左右で収納部３２の前方側壁に取り付けられている。正面からみて右側の錠前を５０Ｒ、左側の錠前を５０Ｌで表している。
【０００５】
図２は錠前の取付状態を正面からみた説明図であって、図１の右側の錠前５０Ｒについて示している。図３は錠前を嵌めこんだ状態を側方からみた側面図を表している。収納部３２の前方側壁３４に必要寸法の長方形の孔３５ならびにネジ孔３６、３７をあけ、図３に示すように錠前５０Ｒを孔３５に嵌めこみ、錠前のネジ孔５６、５７をそれぞれ収納部３２のネジ孔３６、３７とかさね、ネジ止めする。点線３８で示したのは必要な他の部品である。
【０００６】
図４はこの発明の錠前を部品別に分解して示した斜視図で、１はキー、２はスライダー、３はキースライド、４はキースライドカバー、５はラッチ、６はベース、７はカバー、８はインナープレート、９はクリックプレート、１０、１１はすべりダンブラー、１２Ａ、１２Ｂはリベット、１３はクリックスプリング、１４はラッチスプリング、１５はシール、１６はリンク、１７はスライダースプリング、１８はリベット、１９はサイドロックシャフト、２０はタンブラースプリング、２１はかばん本体に取り付けられているロックフックをそれぞれ示している。各部品の構造、作用等についての説明は順次後述する。
【０００７】
図５は錠前５０の正面図、図６は図５のＡ−Ａ断面図をそれぞれ示している。なお図５以下に示す錠前は図１の右側の錠前５０Ｒについての図であるが、５０Ｒも５０Ｌも向きが異なるだけで構造は同一であるから、以後特に断らない限り、５０Ｒの方について記載する。
【０００８】
図７、図８は図６をＤ方向からみたタンブラーまわりの構成を示す図、図９はこの発明の錠前のロック状態を示す断面図である。
【０００９】
図４ないし図９によって、この発明の錠前５０の構成について説明すると、カバー７にキースライダーカバー４、クリックプレート９、シール１５、キースライド３が取り付けられている。さらにカバー７にインナープレート８がラッチ５とともにリベット１８で取り付けられる。そしてこれらのカバー７にインナープレート８などが取り付けられているカバー組立体７０はリベット１２Ｂによってベース６内にあるスライダー２に枢支されている。さらにリンク１６がサイドロックシャフト１９によって一端はベース６に枢支され、他端はリベット１２Ａによってインナープレート８に枢支されている。
【００１０】
ラッチ５はラッチスプリング１４によって付勢されていて、図９に示すロック時にはラッチの係止部４３と、ベース６に形成されている係止部４４とが係合している。同時にキースライド３の係止部４１がベース６に形成されている係止部４２と係合している。
【００１１】
さらにロック時にはスライダー２が図９に示すようにベース６の左端にあり、ベース６のキーフックの通過孔６５とスライダー２のキーフック係止孔２５とがくいちがっている。キーフック２１はかばん類の側壁に取り付けられ、その先端の係止部４５はベース６のキーフック通過孔６５から錠前の内部に入り、スライダー２のキーフック係止孔２５と係合している。
【００１２】
図６、図７に示すように、ロック時には、すべりタンブラー１０、１１はタンブラースプリング２０に押されてインナープレート８の孔に入りこんでいて、タンブラーを内蔵しているキースライド３は動けないので錠前全体が図９に示すロック状態にある。
【００１３】
かばん類をあける時は、キースライド３の上方のキースライドカバー４にある鍵孔５１からキーを差し込みタンブラースプリング２０に抗してタンブラー１０、１１を動かし、タンブラーをインナープレート８の孔から外すと図８の状態になり、キースライド３が移動可能になるので、そのままキースライド３を図９の左方に動かすと、図１０の状態となり、キースライド３の係止部４１とベース６の係止部４２との係合が外れ、図１０に示すキー開放状態になる。
【００１４】
そしてラッチスプリング１４に抗してラッチ５を反時計方向（図１１のＰ方向）にまわしラッチの係止部４３とベース６の係止部４４との係合を外し、さらにカバー７を少し上方にもち上げてリベット１２Ａの位置がサイドロックシャフト１９の位置より少し上方にくるようにする。スライダー２はスライダースプリング１７によって図の右方に付勢されているので、係止部４１、４３が外れ、さらにリベット１２Ａがサイドロックシャフト１９より少し上に来たことにより、スライダー２は図１２に示すようにカバー組立体７０を上方に跳ね上げながら右方に動く。
【００１５】
するとキーフック係止孔２５も右方に動きキーフック２１の係止部４５との係合が外れ図１２に示すオープン時の状態になり、かばん類の蓋を開けることができる。
【００１６】
図示の例ではロックフック２１はかばん類の蓋３１に固定され、錠前５０（Ｒ、Ｌ）は収納部３２の正面側壁３４に取り付けられている。またクリックプレート９はキースライド３の移動の両端でクリック音を出して手応えを感じさせるとともに、キースライド３の移動の途中でキー１が抜けないという作用を有している。
【００１７】
かばん類を閉めるときは、図１２のオープン時の状態からカバー組立体７０を時計方向にまわして図１０のキー開放時の状態にする。（ラッチ５はラッチスプリング１４によって自動的に係合状態になる。）キー１を鍵孔５１に差し込み、図８に示すようにタンブラー１０、１１をインナープレート８から外し、キースライド３を右方に動かせば図９のロック状態になる。
【００１８】
【発明の効果】
この発明の錠前は前記の如き構成であって、キーを回転でなく横方向に動かすことによって操作するので、操作や、タンブラーまわりの構成が容易になり、ピッキングなどの盗難対策にも有利な錠前を得ることができた。
【図面の簡単な説明】
【図１】この発明の錠前を装着したかばんの正面図
【図２】錠前の取付のやり方の説明図
【図３】取り付けた状態の図２のＤ方向からみた側面図
【図４】この発明の錠前を分解して示した斜視図
【図５】錠前を正面からみた図
【図６】図５のＡ−Ａ断面図
【図７】図６をＤ方向からみたタンブラーまわりの構成を示す図
【図８】同じくタンブラーをインナープレートから外した状態を示す図
【図９】ロック状態を示す錠前の断面図
【図１０】キー開放時の状態を示す断面図
【図１１】ラッチを開放した状態を示す断面図
【図１２】オープン時の状態を示す断面図
【符号の説明】
１    キー
２    スライダー
３    キースライド
４    キースライドカバー
５    ラッチ
６    ベース
７    カバー
８    インナープレート
９    クリックプレート
１０    すべりタンブラー
１１    すべりタンブラー
１２Ａ  リベット
１２Ｂ  リベット
１３    クリックスプリング
１４    クラッチスプリング
１５    シール
１６    リンク
１７    スライダースプリング
１８    リベット
１９    サイドロックシャフト
２０    タンブラースプリング
２１    ロックフック
２５    スライダーのキーフック係止孔
３０    かばん
３１    蓋
３２    収納部
３３    ハンドル
３４    収納部側壁
３５    錠前取付孔
３６    ネジ孔
３７    ネジ孔
３８    他部品
４１    キースライドの係止部
４２    ベースの係止部
４３    ラッチの係止部
４４    ベースの係止部
４５    キーフックの係止部
５０    錠前
５１    鍵孔
５６    ネジ孔
５７    ネジ孔
６５    ベースのキーフック通過孔
７０    カバー組立体
【図１】
0004127353.tif 000002
【図２】
0004127353.tif 000003
【図３】
0004127353.tif 000004
【図４】
0004127353.tif 000005
【図５】
0004127353.tif 000006
【図６】
0004127353.tif 000007
【図７】
0004127353.tif 000008
【図８】
0004127353.tif 000009
【図９】
0004127353.tif 000010
【図１０】
0004127353.tif 000011
【図１１】
0004127353.tif 000012
【図１２】
0004127353.tif 000013